(57)【要約】【課題】貯蔵室内を照明する照明手段を備え、貯蔵室に収納される食品が照明手段に当たりにくく、かつ断熱効果が良好である冷蔵庫を提供する。【解決手段】本実施形態の冷蔵庫は、外箱と内箱との間に断熱部材を設けて箱状に構成され内箱の内部に貯蔵室を形成する断熱箱体と、貯蔵室内を照明する照明手段とを備えている。照明手段は、内箱において隣り合う２つの壁によって形成されるコーナー部に設けられている。【選択図】図１
2012255606.tif 000002
【特許請求の範囲】
【請求項１】
外箱と内箱との間に断熱部材を設けて箱状に構成され、前記内箱の内部に貯蔵室を形成する断熱箱体と、
前記貯蔵室内を照明する照明手段と、を備え、
前記照明手段は、前記内箱において隣り合う２つの壁によって形成されるコーナー部に設けられていることを特徴とする冷蔵庫。
【請求項２】
前記照明手段は、導光板と、前記導光板の端部に設けられ当該導光板内に光を照射する光照射手段と、を有していることを特徴とする請求項１に記載の冷蔵庫。
【請求項３】
前記導光板はコーナー部を有し、前記導光板のコーナー部を、前記内箱の前記コーナー部に対応させたことを特徴とする請求項２記載の冷蔵庫。
【請求項４】
前記導光板は、前記コーナー部の端部から外側へ直線状に延びる平坦部を有していて、
前記光照射手段は、前記平坦部の端部に設けられていることを特徴とする請求項３記載の冷蔵庫。
【請求項５】
前記導光板は、前記貯蔵室に臨む前面とは反対側の裏面に光を反射する複数の反射部を有し、
前記反射部は、前記光照射手段から遠いほど密に設けられていることを特徴とする請求項２から４いずれか一項記載の冷蔵庫。
【請求項６】
前記内箱は複数の壁に分割されていて、
前記複数の壁は、前記内箱のコーナー部において固定具を介して連結されていることを特徴とする請求項１から５いずれか一項記載の冷蔵庫。
【請求項７】
前記照明手段は、前記固定具に設けられていることを特徴とする請求項６記載の冷蔵庫。
【請求項８】
前記断熱部材は真空断熱パネルであり、
当該真空断熱パネルは、一面が前記内箱に接着され、かつ、前記一面とは反対側の他面が前記外箱に接着されていることを特徴とする請求項１から７のいずれか一項に記載の冷蔵庫。
【発明の詳細な説明】
【技術分野】
【０００１】
本発明の実施形態は、冷蔵庫に関する。
【背景技術】
【０００２】
従来、冷蔵庫の貯蔵室、例えば冷蔵室の天井に照明手段を設けて、貯蔵室内を照明する構成が提案されている。
照明手段が貯蔵室側に突出する構成では、貯蔵室内に食品を収納する際に当該食品が照明手段に当たる問題が考えられる。したがって、内箱を外箱側に凹ませて、その凹ませた部分に照明手段を嵌め込むことが考えられる。しかしながら、その構成では、外箱と凹ませた部分の内箱との間に設けられている断熱部材が薄くなり、断熱効果が不十分になる問題が考えられる。
【先行技術文献】
【特許文献】
【０００３】
【特許文献１】特開２００５−３４４９７６号公報
【発明の概要】
【発明が解決しようとする課題】
【０００４】
そこで、貯蔵室内を照明する照明手段を備え、貯蔵室に収納される食品が照明手段に当たりにくく、かつ断熱効果が良好である冷蔵庫を提供する。
【課題を解決するための手段】
【０００５】
本実施形態の冷蔵庫は、外箱と内箱との間に断熱部材を設けて箱状に構成され内箱の内部に貯蔵室を形成する断熱箱体と、貯蔵室内を照明する照明手段とを備えている。そして、照明手段が、内箱において隣り合う２つの壁によって形成されるコーナー部に設けられていることを特徴としている。
【図面の簡単な説明】
【０００６】
【図１】第１の実施形態を示す冷蔵庫を構成する断熱箱体および照明装置を前方上方から見た斜視図
【図２】冷蔵庫の斜視図
【図３】断熱箱体および照明装置を前方下方から見た斜視図
【図４】内箱の左奥側のコーナー部付近を拡大して示す横断平面図
【図５】分割断熱パネルの分解斜視図
【図６】断熱箱体の分解斜視図
【図７】照明装置の端部付近を拡大して示す断面図
【図８】導光板の一部を拡大して示す平面図
【図９】第２の実施形態を示す図４相当図
【図１０】第３の実施形態を示す図４相当図
【図１１】第４の実施形態を示す図４相当図
【図１２】照明装置の斜視図
【図１３】その他の実施形態を示す図３相当図
【発明を実施するための形態】
【０００７】
複数の実施形態について、図面を参照して説明する。なお、図面を参照して方向を示す場合、便宜上、冷蔵庫の扉側を「前側」とし、冷蔵庫を正面から見た場合の右側を「右側」として説明する。
【０００８】
（第１の実施形態）
以下、第１の実施形態について、図１〜図８を参照して説明する。
まず、図２に示す冷蔵庫１１は、図１〜図４に示す断熱箱体１２と、その断熱箱体１２内を冷却するための図示しない冷凍サイクルとを備えている。断熱箱体１２は、図４に示すように、外箱１３と、内箱１４と、外箱１３と内箱１４との間に設けられた断熱部材１５とを有している。そして、断熱箱体１２は、図１および図３に示すように、前面が開口した箱状に構成され、内部に後述する貯蔵室を形成している。
【０００９】
外箱１３は、スチール製であり、前面が開口した箱状に構成されている。外箱１３は、当該外箱１３を複数に分割してなる複数枚の壁を組み合わせて構成されている。具体的には、外箱１３は、板状の上面壁１６と、平板状の底面壁１７と、平板状の右面壁１８と、平板状の左面壁１９と、平板状の背面壁２０とから構成されている。上面壁１６は、前後方向で段差状をなし、前部が底面壁１７と平行な平板状をなし、後部が前部よりも下側に位置して底面壁１７と平行な平板状をなしている。右面壁１８と左面壁１９とは左右対称に形成されている。この上面壁１６の後部上には、図１に示すように機械室２１が形成されている。機械室２１には、上述した冷凍サイクルを構成する図示しない圧縮機、凝縮器などが設けられている。
【００１０】
内箱１４は、樹脂製であり、図１および図３に示すように、前面が開口した箱状をなし、外箱１３の内部に設けられている。内箱１４は、当該内箱１４を複数に分割してなる複数枚の壁を組み合わせて構成されている。具体的には、内箱１４は、板状の上面壁２２と、平板状の底面壁２３と、平板状の右面壁２４と、平板状の左面壁２５と、平板状の背面壁２６とから構成されている。内箱１４の上面壁２２も、外箱１３の上面壁１６と同様に、前後方向で段差状をなし、前部が底面壁２３と平行な平板状をなし、後部が前部よりも下側に位置して底面壁２３と平行な平板状をなしている。右面壁２４と左面壁２５とは左右対称に形成されている。
【００１１】
外箱１３の上面壁１６と内箱１４の上面壁２２、外箱１３の底面壁１７と内箱１４の底面壁２３、外箱１３の右面壁１８と内箱１４の右面壁２４、外箱１３の左面壁１９と内箱１４の左面壁２５、外箱１３の背面壁２０と内箱１４の背面壁２６は、それぞれ断熱部材１５を介して対向して設けられている。なお、図４に、外箱１３の左面壁１９と内箱１４の左面壁２５とが対向し、外箱１３の背面壁２０と内箱１４の背面壁２６とが対向した状態の一部を示す。
【００１２】
断熱部材１５は、具体的には、一般的な真空断熱パネルであり、芯材と、芯材を収容する外袋体とを備えて、平板状をなしている。芯材は、断熱性の高い材料、例えばグラスウールなどの無機繊維の積層体を、例えばポリエチレンなどの合成樹脂フィルムからなる図示しない内袋体に収容した後、矩形板状に圧縮硬化して形成したものである。芯材は、その他、例えば抄紙法、加熱圧縮法などで形成してもよい。外袋体は、ガスバリア性を有する袋であり、例えばポリエチレンテレフタレートのフィルム、高密度ポリエチレンのフィルム、アルミ蒸着フィルム、アルミ箔シートなどを適宜組み合わせ積層し袋状に形成したものである。そして、断熱部材１５は、芯材を外袋体に収容した状態で当該外袋体内を減圧して、減圧を維持したまま外袋体の開口部を熱溶着などによって密閉することにより構成されている。
【００１３】
断熱部材１５は、平板状の板厚方向の一面が内箱１４の外面に接着され、かつ、一面とは反対側の他面が外箱１３の内面に接着されている。図５に一例として、外箱１３の左面壁１９と、外箱１３の左面壁１９に対向して設けられている内箱１４の左面壁２５との間に断熱部材１５が設けられた構成を示す。また、断熱部材１５と外箱１３の内面この場合左面壁１９との間には、断熱部材１５と左面壁１９とを接着させる接着剤３１が設けられている。さらに、断熱部材１５と内箱１４の外面この場合左面壁２５との間にも、断熱部材１５と左面壁２５とを接着させる接着剤３２が設けられている。接着剤３１，３２としては、液体状の接着剤や、両面テープなどが用いられる。
【００１４】
このように、外箱１３の壁１６〜２０と、外箱１３に対向して設けられた内箱１４の壁２２〜２６と、その外箱１３の壁１６〜２０と内箱１４の壁２２〜２６との間に設けられた断熱部材１５とを、接着剤３１，３２によって接着することにより、この外箱１３の一の壁とその外箱１３に対応する内箱１４の一の壁と、それらの壁の間に設けられた断熱部材１５とが一体となる。この一体となったものを、分割断熱パネル３５と称する。
【００１５】
分割断熱パネル３５としては、具体的には、図６に示すように、断熱箱体１２の上面壁を構成する上面分割断熱パネル３５１、床面壁を構成する床面分割断熱パネル３５２、右面壁を構成する右面分割断熱パネル３５３、左面壁を構成する左面分割パネル３５４、背面壁を構成する背面分割断熱パネル３５５の５枚である。そして、これらの分割断熱パネル３５を箱状に組み合わせて断熱箱体１２が構成される。以下、分割断熱パネルの共通する内容を示す場合は、「分割断熱パネル３５」を用いて説明する。
【００１６】
分割断熱パネル３５は、図１、図３および図４に示すように、隣り合う他の分割断熱パネル３５に対して固定具３６を介して連結されている。言い換えると、内箱１４は、複数に分割された壁２２〜２６から形成され、ある一枚の壁と、この壁に隣り合う他の壁によって形成されるコーナー部において、これらの２つの壁が固定具３６を介して連結された構成となっている。固定具３６は、具体的には、内箱１４において上面壁２２と右面壁２４とで形成されるコーナー部、上面壁２２と左面壁２５とで形成されるコーナー部、上面壁２２と背面壁２６とで形成されるコーナー部、底面壁２３と右面壁２４とで形成されるコーナー部、底面壁２３と左面壁２５とで形成されるコーナー部、底面壁２３と背面壁２６とで形成されるコーナー部に設けられている。
【００１７】
固定具３６は、具体的には、全体として断面直角三角形の柱状をなし、図４に示すように断面直角三角形の筒状を構成する固定カバー３７および補強部材３８と、筒状の内部を構成するコーナー用断熱部材３９とを有している。
固定カバー３７は、樹脂製の矩形板状をなし、固定具３６の補強部材３８の前側を覆っている部材である。具体的には、固定カバー３７は、固定具３６を上面から見て固定具３６の断面二等辺三角形の斜辺に相当する部位を形成するものであり、固定具３６の部位のうち前側に位置している。固定カバー３７の長手方向に直交する幅方向の両端部側すなわち内箱１４を形成する壁に近接する端部側には、固定具３６の固定用の複数の貫通孔４０が形成されている。
【００１８】
補強部材３８は、固定カバー３７と内箱１４のコーナー部との間に配置され、固定カバー３７の変形を抑制するものである。具体的には、補強部材３８は、固定具３６の断面二等辺三角形の残りの二辺に相当する部位を形成する部材であり、断面Ｌ字状の部材である。補強部材３８は、断面Ｌ字状に直交する長手方向の長さが固定カバー３７の長手方向の長さと同じに調整されている。補強部材３８の断面Ｌ字状の両端部の複数箇所には、図示しない複数のねじ穴および複数の貫通孔が形成されている。
【００１９】
コーナー用断熱部材３９は、発泡スチロールなどの断熱部材を三角柱に形成したものである。コーナー用断熱部材３９は、固定カバー３７の端部と補強部材３８の端部とを合わせ、ねじ４１を固定カバー３７の貫通孔４０に通して補強部材３８のねじ穴に螺合させることによって当該固定カバー３７と当該補強部材３８との間に固定されている。
【００２０】
固定具３６は、補強部材３８の断面Ｌ字状の直角の折れ曲がり部分が内箱１４のコーナー部を形成する２枚の分割断熱パネル３５の近接する端部に配置して、ねじ４１を固定カバー３７の貫通孔および補強部材３８の図示しない貫通孔に通し、分割断熱パネル３５すなわち内箱１４の壁２２〜２６の所定の位置に螺合させることにより、固定具３６が内箱１４のコーナー部に対応して設けられた構成となる。これにより、上述したように、分割断熱パネル３５が固定具３６で連結された構成となる。さらに、隣り合う２枚の分割断熱パネル３５が固定具３６の補強部材３８の二辺に対向して配置された構成となる。したがって、２枚の分割断熱パネル３５で形成されるコーナー部の角度は、補強部材３８の形状に対応して９０°になっている。
【００２１】
補強部材３８とこの補強部材３８に近接する内箱１４の壁との間には、ソフトテープなどからなるシール部材４５が設けられている。これにより、固定具３６の補強部材３８と、その固定具３６に近接する内箱１４の壁との間がシールされた構成となっている。
また、図５に示すように、分割断熱パネル３５の端部、すなわち断熱箱体１２のコーナー部には、例えばウレタンやソフトテープなどからなるシール部材４６が設けられている。コーナー用シール部材４６は、隣り合う分割断熱パネル３５の端部同士の隙間をシールするものである。
【００２２】
断熱箱体１２の内箱１４の内部には、図１および図３に示すように、平板状で断熱効果を有する２枚の仕切り部材５０，５１によって複数の貯蔵室が形成されている。仕切り部材５１は、仕切り部材５０の下方に設けられている。また、貯蔵室としては、上から順に、冷蔵室５２、野菜室５３、製氷室５４、第１の冷凍室５５が形成され、製氷室５４の右隣に第２の冷凍室５６が形成されている。具体的には、冷蔵室５２は、内箱１４と仕切り部材５０とで囲われて形成されている。また、野菜室５３は、内箱１４と２枚の仕切り部材５０，５１とで囲われて形成されている。さらに、製氷室５４、第１の冷凍室５５および第２の冷凍室５６は、内箱１４と仕切り部材５１とで囲われて形成される空間の内部に設けられている。
【００２３】
仕切り部材５０の後端部は、内箱１４の背面壁２６から離れて前方に位置するとともに、冷蔵室５２の右奥側のコーナー部および左奥側のコーナー部に位置する固定具３６の前方に位置している。また、仕切り部材５１の後端部は、内箱１４の背面壁２６に接しており、右奥側のコーナー部および左奥側のコーナー部に位置する固定具３６に当接し固定されている。これにより、冷蔵室５２と野菜室５３は連通した構成となり、野菜室５３と製氷室５４との間が断熱され、野菜室５３と第２の冷凍室５６との間も断熱された構成となっている。
【００２４】
ここで、図１および図３に示すように、冷蔵室５２の奥側のコーナー部例えば左奥側のコーナー部に位置する固定具３６の固定カバー３７の前面には、冷蔵室５２の内部を照明する照明手段たる照明装置７１が設けられている。なお、図示しない右奥側のコーナー部に設けられる固定具の固定カバーにも、同様の照明装置が設けられている。照明装置７１は、具体的には、内箱１４において隣り合う２つの壁によって形成されるコーナー部のうち、右面壁２４と背面壁２６とによって形成されるコーナー部、および左面壁２５と背面壁２６とによって形成されるコーナー部であって冷蔵室５２に相当する部分に設けられている。この２箇所のコーナー部に設けられる２個の照明装置７１は、同一の構成であるため、以下、左面壁２５と背面壁２６とによって形成される左奥側のコーナー部に設けられている照明装置７１について説明する。
【００２５】
照明装置７１は、図７に示すように、導光板７２と、光照射手段である光照射装置７３とを有している。導光板７２は、透明の板、例えばアクリル板であり、縦長の形状をなし、コーナー部の延びる方向に沿って上下方向に縦長となるように配置されている。光照射装置７３は、導光板７２の少なくとも一の端部、例えば図１および図３に示すように、導光板７２の長手方向の両端部すなわち冷蔵室５２の上下方向の両端部に設けられている。光照射装置７３は、導光板７２内に光を照射するものであり、図７に示すように、基板７４と光源をなす発光ダイオード（ＬＥＤ）７５とを有している。基板７４は、発光ダイオード７５を点灯、または消灯させるための図示しない回路などを有している。基板７４は、例えば冷蔵室５２の冷蔵室扉５７が開いたことを図示しない制御装置が判断した場合に、制御装置からの信号を受けて発光ダイオード７５を点灯させるものである。発光ダイオード７５は導光板７２の板厚方向の側面の近傍に設けられ、発光ダイオード７５の光が導光板７２の板厚方向の側面から当該導光板７２内に入るようになっている。また、導光板７２は、図４の仮想線に示すように、導光板７２の長手方向に直交する幅方向に、複数個設けられている。
【００２６】
導光板７２は、図７および図８に示すように、板厚方向の面のうち貯蔵室である冷蔵室５２に臨む前面とは反対側の裏面に、複数の反射部７６を有している。反射部７６は、光を反射するものであり、導光板７２に白いインクで印刷された丸い模様である。この反射部７６は、導光板７２の長手方向の端部、すなわち、光照射装置７３から遠いほど密に設けられている。反射部７６は、具体的には、千鳥状に配置されているとともに、導光板７２の長手方向の中央に位置するほど円形が大きくなっている。すなわち、導光板７２の長手方向の端部よりも中央に位置する方が、導光板７２の裏面の表面積に占める反射部７６の面積が大きくなっている。
【００２７】
導光板７２の裏面側には、図７に示すように、反射シート７７が設けられている。反射シート７７は、導光板７２の裏面側から漏れ出た光を導光板７２側に反射させるものである。反射シート７７は、具体的には、アルミ製であり、導光板７２の大きさと同じに調整されている。
導光板７２の前面には、光を拡散させるための拡散シート７８が設けられている。拡散シート７８は、白色で半透明の樹脂フィルム製である。
発光ダイオード７５の周囲であって導光板７２以外の所には、拡散防止用カバー７９が設けられている。拡散防止用カバー７９は、アルミ製の板部材を折り曲げて構成され、発光ダイオード７５から照射された光のうち、導光板７２側を除く方向の光を導光板７２側に導くように、光を反射するものである。
【００２８】
上記した一実施形態によれば、次の作用および効果を奏する。
光照射装置７３の発光ダイオード７５から照射された光は、導光板７２の長手方向の端部から導光板７２に入る。そして、導光板７２に入った光のうち反射部７６または反射シート７７に当たった光は拡散シート７８側に反射する。特に、反射部７６に当たった光は導光板７２の裏面に直接設けられているので拡散シート側に容易に反射する。これにより、冷蔵室５２の内部は、拡散シート７８を通る光によって照明される。すなわち、冷蔵室５２の内部は、内箱１４内のコーナー部に設けられた照明装置７１によって照明される。
【００２９】
上記構成によれば、照明装置７１が内箱１４において隣り合う２つの壁によって形成されるコーナー部に設けられているので、照明装置７１が貯蔵室、例えば冷蔵室５２の内側に極力突出しない構成となる。これにより、冷蔵室５２の内部に収納される食品が照明装置７１に当たってしまうことを極力防止することができる。さらに、照明装置７１が内箱１４の内部に設けられているので、照明装置７１を設けるために内箱１４を外箱１３側に凹ませる必要がなくなる。これにより、外箱１３と内箱１４との間に設けられている断熱部材１５の厚さを十分に確保でき、良好な断熱効果を得ることができる。
【００３０】
導光板７２の端部に光照射装置７３が設けられているので、導光板７２は光照射装置７３によって端部側から中央部側に向かって照明される。したがって、導光板７２全体が明るくなりやく、内箱１４の内部すなわち冷蔵室５２の内部の広範囲を照明することができる。
導光板７２において反射部７６が光照射装置７３から遠いほど密に設けられているので、導光板７２の中央部で導光板７２の内部を通る光の強さが弱まっても、反射部７６によって拡散シート７８側に反射される光の量は多くなる。すなわち、光照射装置７３から照射された光は、光照射装置７３から遠いほど反射部７６によって拡散シート７８側に多く反射される。これにより、導光板７２が縦長の形状であっても、導光板７２全体をほぼ均一の強さで明るくすることができる。
【００３１】
内箱１４が複数に分割された壁２２〜２６から構成され、隣り合う２つの壁２２〜２６によって形成されるコーナー部において当該２つの壁２２〜２６が固定具３６を介して固定されているので、予め立体的になっている内箱を用いて冷蔵庫を組み立てるよりも、冷蔵庫１１を容易に組み立てることができる。
【００３２】
照明装置７１が固定具３６に設けられているので、壁２２〜２６と固定具３６とで内箱１４を組み立てる際に、照明装置７１を内箱１４の内部のコーナー部に容易に設けることができる。
断熱部材１５を真空断熱パネルから構成し、断熱部材１５の一面が内箱１４の外面に接着され、他面が外箱１３の内面に接着されているので、断熱箱体１５の壁を極力薄くすることができる。なお、この場合、従来、外箱と内箱との間に設けられていた電気配線などの束線やサクションパイプなどの配管を固定具３６の内部に収容することにより、束線や配管の収納スペースを確保することができる。
【００３３】
光照射装置７３として発光ダイオード７５を用いることにより、白熱灯を用いるよりも、光照射装置７３を薄くすることができる。これにより、照明装置７１全体としても薄くすることができ、貯蔵室５２の内部の収納スペースを十分に確保することができる。
導光板７２が内箱１４のコーナー部に沿って設けられているので、照明装置７１によって冷蔵室５２の広範囲を照明することができる。
【００３４】
（第２の実施形態）
次に、第２の実施形態について、図９を参照して説明する。なお、第１の実施形態と同一の構成のものについては同一の符号を付し、その構成の説明を省略する。
第２の実施形態では、第１の実施形態の照明装置７１の代わりに、照明手段である照明装置８１が設けられている。照明装置８１は、光照射装置８２と、導光板８３とを有している。光照射装置８２は、基板８４と発光ダイオード８５とを有し、固定具３６の内部に設けられている。そして、光照射装置８２から照射された光が、導光板８３を板厚方向にほぼ平行に通過する構成である。
【００３５】
第２の実施形態では、具体的には、固定具３６の固定カバー３７に、長手方向に延びる矩形の開口部８６が形成されている。また、コーナー用断熱部材３９には、固定カバー３７の開口部８６に対応する部位に凹部８７が形成されている。凹部８７は、周囲の壁面が開口部８６の縁部に連なり、最も凹んでいる底部が平坦に形成されている。そして、凹部８７の底部に、光照射装置８２の基板８４が設けられている。基板８４は、第１の実施形態の基板７４と同様のものであり、この実施形態ではコーナー部の延びる方向に長い矩形板状をなしている。基板８４上には、当該基板８４の長手方向に沿って複数個の発光ダイオード８５が設けられている。なお、図９では１個の発光ダイオードのみを示す。また、発光ダイオード８５は、第１の実施形態の発光ダイオード７５と同様のものである。さらに、この実施形態では、導光板８３が発光ダイオード８５の前方を覆うとともに固定カバー３７の開口部８６を塞ぐようにして設けられている。また、この実施形態では、導光板８３には反射部および反射シートが設けられていないが、導光板８３の前面に拡散シート８８が設けられている。
【００３６】
上記構成によれば、光照射装置８２の発光ダイオード８５から照射された光は、導光板８３の板厚方向を通る最短経路で貯蔵室、例えば冷蔵室５２に達する。したがって、光照射装置８２からの光の損失が少なくてすみ、冷蔵室５２の内部をより一層明るく照明することができる。
【００３７】
（第３の実施形態）
次に、第３の実施形態について、図１０を参照して説明する。なお、第１の実施形態と同一の構成のものについては同一の符号を付し、その構成の説明を省略する。
第３の実施形態では、内箱１４において隣り合う２つの壁によって形成されるコーナー部において、第１の実施形態の固定具３６を用いずに、第１の実施形態の照明装置７１が設けられている構成である。この場合、導光板７２は、拡散シート７８が反射シート７７の前側になるように配置される。
【００３８】
なお、この実施形態での隣り合う２枚の分割断熱パネル３５は、図示しないねじなどに固定された構成となり、照明装置７１も、図示しないねじなどによって内箱１４の内部に固定された構成となる。
上記構成によっても、冷蔵室５２の内部を照明装置７１によって照明することができる。
【００３９】
（第４の実施形態）
次に、第４の実施形態について、図１１および図１２を参照して説明する。なお、第３の実施形態と同一の構成のものについては同一の符号を付し、その構成の説明を省略する。
第４の実施形態では、第３の実施形態に示す照明装置７１の代わりに、照明装置９１が設けられている。照明装置９１は、導光板９２が照明装置７１の導光板７２と形状が異なる。すなわち、照明装置９１の導光板９２は、コーナー部９３と平坦部９４とを有している。コーナー部９３は、内箱１４のコーナー部に対応した構成、例えば導光板９２の長手方向に垂直な断面が内箱１４のコーナー部の角側に突出した凸状、この場合湾曲状をなしている。平坦部９４は、平板状をなし、コーナー部９３の端部からコーナー部９３に連なって外側へ直線状に延びている。すなわち、導光板９２は、上面から見て例えば円周の略４分の１の形状であり、かつ、両端部が当該端部を通る接線方向にまっすぐ延びた形状である。なお、図示はしないが、導光板９２は、第１の実施形態と同様に、裏面に反射部を有している。さらに、導光板９２の反射部の外側には、反射シート７７が設けられ、当該導光板９２の前面に拡散シート７８が設けられている。
【００４０】
また、第４の実施形態の光照射装置９５は、平坦部９４において長手方向の両端部に設けられている。光照射装置９５は、基板９６と発光ダイオード９７とを有している。さらに、発光ダイオード９５を覆うようにして、拡散防止用カバー９８が設けられている。基板９６、発光ダイオード９７および拡散防止用カバー９８は、第１の実施形態の基板７４、発光ダイオード７５、拡散防止用カバー７９と同様の構成であるが、平坦部９４の大きさに合うようにこれらの部品の寸法などが適宜変更されている。
【００４１】
上記構成によれば、導光板９２のコーナー部９３が内箱１４の貯蔵室である冷蔵室５２の奥側のコーナー部に対応しているので、導光板９２を冷蔵室５２のコーナー部により接近して配置することができ、冷蔵室５２の収納スペースを大きく確保することができる。
導光板９２のコーナー部９３が湾曲状をなしているので、貯蔵室の内部に鋭角な部分が少なくなり、意匠性を良好になるとともに、折れ曲がった角の箇所が少なくなるために清掃が容易になる。
光照射装置９５が平坦部９４の端部に設けられているので、光照射装置９５をコーナー部９３に設けるよりも、簡単な構成で組み立てることができる。例えば、拡散防止用カバー９８を、矩形状のアルミ板を折り曲げるだけの構成で得ることができる。
【００４２】
なお、ここで言う「コーナー部に対応する」とは、導光板９２の少なくとも一部が内箱１４のコーナー部の角側に向かって突出している構成のことである。したがって、導光板９２のコーナー部９３が断面Ｌ字状をなし、その折れ曲がっている部分が内箱１４のコーナー部に合わせて配置される構成としてもよく、この構成も「コーナー部に対応する」構成」である。
【００４３】
（その他の実施形態）
上記した照明装置７１，８１，９１の設置場所は一例に過ぎない。例えば、照明装置７１を、図１３に示すように、内箱１４の上面壁２２と左面壁２５とで形成されるコーナー部、上面壁２２の段差状のコーナー部に設けてもよい。また、図示はしないが、照明装置７１を、内箱１４の上面壁２２と右面壁２４とで形成されるコーナー部に設けてもよい。
光照射装置７３，８２，９５して発光ダイオード７５，８５，９７を用いて説明したが、発光ダイオードの代わりに白熱灯、有機ＥＬなどを用いてもよい。
反射部７６を導光板７２の面に密に設ける構成として、１個当たりの大きさがすべて同じである反射部７６を導光板７２の中央部付近が端部側よりも多く分布するように設けてもよい。
【００４４】
外箱１３と内箱１４との間に設けられる断熱部材１５として、真空断熱パネルを用いて説明したが、発泡ウレタンによる断熱部材のみ、あるいは発泡ウレタンと真空断熱パネルとを組み合わせた断熱部材を用いてもよい。
固定具３６のコーナー用断熱部材３９の内部に空間を形成して、図示しないサクションパイプなどの配管が通る構成とした場合、固定カバー３７と補強部材３８との接する部分に、ソフトテープなどからなるシール部材を設けてもよい。これにより、固定カバー３７と補強部材３８との間がよりシールされた構成となり、固定具３６の内部に設けられた配管の表面に結露が発生することを抑制することができる。
【００４５】
第１の実施形態の反射部７６の代わりに、透光板７２の背面に光を拡散させるための凹みを複数個所形成し、この凹みを反射部としてもよい。
光照射装置７３，９５は、導光板７２，８３，９２の幅方向の端部に設けてもよい。
第３の実施形態の構成において、第１の実施形態の照明装置７１の代わりに、第２の実施形態の照明装置８１を用いてもよい。
【００４６】
以上のように、本実施形態の冷蔵庫によれば、照明手段が内箱において隣り合う２つの壁によって形成されているコーナー部に設けられているので、照明手段が貯蔵室の内側に極力突出しない構成となる。これにより、貯蔵室内に収納される食品が照明手段に当たってしまうことを極力防止することができる。さらに、照明手段が内箱の内部に設けられているので、照明手段を設けるために内箱を外箱側に凹ませる必要がなくなる。これにより、外箱と内箱との間に設けられている断熱部材の厚さを十分に確保でき、良好な断熱効果を得ることができる。
【００４７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
図面中、１１は冷蔵庫、１２は断熱箱体、１３は外箱、１４は内箱、１５は断熱部材、２２は上面壁（壁）、２３は底面壁（壁）、２４は右面壁（壁）、２５は左面壁（壁）、２６は背面壁（壁）、３６は固定具、５２は冷蔵室（貯蔵室）、５３は野菜室（貯蔵室）、５４は製氷室（貯蔵室）、５５は第１の冷凍室（貯蔵室）、５６は第２の冷凍室（貯蔵室）、７１，８１，９１は照明装置（照明手段）、７２，８３，９２は導光板、７３，８２，９５は光照射装置（光照射手段）、７６は反射部、９３はコーナー部、９４は平坦部を示す。
【図１】
2012255606.tif 000003
【図２】
2012255606.tif 000004
【図３】
2012255606.tif 000005
【図４】
2012255606.tif 000006
【図５】
2012255606.tif 000007
【図６】
2012255606.tif 000008
【図７】
2012255606.tif 000009
【図８】
2012255606.tif 000010
【図９】
2012255606.tif 000011
【図１０】
2012255606.tif 000012
【図１１】
2012255606.tif 000013
【図１２】
2012255606.tif 000014
【図１３】
2012255606.tif 000015